(57)【要約】【課題】  紙媒体を記録する際には、案内部材を紙搬送パス上から退避させておき、ディスク状記録媒体を記録する際には、紙媒体を搬送する搬送パス上で、案内部材を回動させ記録作業を行うことができる記録装置を提供する。【解決手段】  ディスク状記録媒体の層に画像を記録するインクジェット記録装置であって、回動可能な案内部材と、前記案内部材を回動させる駆動装置と、前記案内部材の先端部に前記ディスク状記録媒体を固定する保持具と、前記案内部材によって搬送された前記ディスク状記録媒体に画像の記録を行うインクジェット記録手段と、画像情報を予め適切なライン情報に分割するデータ処理システムを有し、ラインに分割された情報をライン毎に前記ディスク状記録媒体に記録し、画像を形成することを特徴とする。【選択図】        図１
2006205651.tif 000002
【特許請求の範囲】
【請求項１】
ディスク状記録媒体の層に画像を記録するインクジェット記録装置であって、
回動可能な案内部材と、
前記案内部材を回動させる駆動装置と、
前記案内部材の先端部に前記ディスク状記録媒体を固定する保持具と、
前記案内部材によって搬送された前記ディスク状記録媒体に画像の記録を行うインクジェット記録手段と、
画像情報を予め適切なライン情報に分割するデータ処理システムを有し、
ラインに分割された情報をライン毎に前記ディスク状記録媒体に記録し、
画像を形成することを特徴とする記録装置。
【請求項２】
前記案内部材を用いた前記ディスク状記録媒体の搬送手段と併せて、記録シートを搬送する搬送手段を持ち、前記案内部材の回転中心が前記紙媒体搬送手段の搬送経路上にないことを特徴とする請求項１に記載の記録装置。
【請求項３】
画像情報を予め適切なライン情報に分割するデータ処理システムにおいて、前記案内部材の回動によって記録済領域と未記録領域の境界が記録ヘッドの走査方向に対して傾く角度を予め算出し、任意の画像を形成できるよう適切なライン情報に変換する機能を有している請求項１又は２に記載の記録装置。
【請求項４】
ディスク状記録媒体の層に画像を記録するインクジェット記録装置であって、
回動可能な案内部材と、
前記案内部材を回動させる駆動装置と、
前記案内部材の先端部に前記ディスク状記録媒体を固定する回動可能な保持具と、
前記保持具を回動させる駆動手段と、
前記案内部材によって搬送された前記ディスク状記録媒体に画像の記録を行うインクジェット記録手段と、
画像情報を予め適切なライン情報に分割するデータ処理システムを有し、
ラインに分割された情報をライン毎に前記ディスク状記録媒体に記録し、
画像を形成することを特徴とする記録装置。
【請求項５】
前記案内部材の回動による前記ディスク状きろく媒体の搬送に際して、前記保持具を前記案内部材の回転と逆方向に同量回転させることによって、記録済領域と未記録済領域の境界が記録ヘッドの走査方向に対して常に平行になることを特徴とした請求項４に記載の記録装置。
【請求項６】
前記案内部材の駆動装置と前記保持具の駆動装置を同一の駆動装置とした請求項４又は５に記載の記録装置。
【発明の詳細な説明】
【技術分野】
【０００１】
本発明は、インク滴を吐出する複数のノズルを備えた記録ヘッドを搭載したキャリッジを有するインクジェット記録装置において、画像情報の記録に適した印字層を有するディスク状記録媒体に前記キャリッジを往復運動させることによって画像を記録する記録装置に関するものである。
【背景技術】
【０００２】
ディスク状記録媒体に画像情報を記録するプリンタの構成としては、ディスク状記録媒体の中心孔が記録ヘッドの走査線上にくる位置関係において、前記ディスク状記録媒体をディスク状記録媒体の中心孔を回転中心として回転させながら、ラインに分解された画像情報をライン毎に、半径方向に記録していく方法が提案されている（特許文献１参照）。
【０００３】
また他の構成としては、保持具によって固定されたディスク状記録媒体を２つのコンベアベルトによって、記録ヘッドの走査方向に垂直な方向に沿って移動させ、紙媒体への画像記録と同じように用紙の先端から後端へ、ラインに分解された画像情報をライン毎に、記録していく方法が提案されている（特許文献２参照）。
【０００４】
現在市販されているディスク状記録媒体への画像記録が可能なインクジェット記録装置は、ディスク状記録媒体への画像記録を専用とした装置ではなく、記録シートへの画像記録機能を有するインクジェット記録装置にオプション機能として、ディスク状記録媒体への画像記録機能を有した装置となっている。通常、インクジェット記録装置の記録シート搬送手段としては、搬送ローラと、前記搬送ローラに記録媒体を付勢することを目的とした従動回転ローラの２本のローラによって記録シートを挟持して搬送するのが一般的である。このような構成を持った記録装置において、ディスク状記録媒体へ画像を記録する際は、ディスク状記録媒体の画像記録面裏面にあたる情報記録面への搬送ローラの物理的な接触を避けるため、専用のトレイにディスク状記録媒体を乗せて、前記搬送ローラを用いて搬送するのが一般的になっている。
【特許文献１】特開平１−３８２３７号公報
【特許文献２】特開平１１−５３３２号公報
【発明の開示】
【発明が解決しようとする課題】
【０００５】
上記従来例として挙げた、ディスク状記録媒体を回転させ半径方向に記録していく方法と、記録ヘッドの走査方向に垂直な方向にディスク状記録媒体を搬送し先端から後端に向かって記録していく方法においては、ディスク状記録媒体を搬送する専用の搬送手段が非使用時においても、記録ヘッドの記録領域の直下にくる構成となるため、搬送ローラを用いた記録シートへの記録との両立を考えた際、記録シートへの記録の際に前記搬送手段が障害となり、前記手段を持った記録装置としては、ディスク状記録媒体への記録を専用とする装置とならざるを得ず、大きなコストがかかるという点が問題となっている。
【０００６】
また、現在市販されているインクジェット記録装置のように、ディスク状記録媒体を搬送用の専用のトレイに載せて、搬送ローラを用いて搬送し記録していく方法においては、非使用時において専用トレイを別途保存しておく必要があり、ユーザへの大きな負担となるという点が問題となっている。
【０００７】
以上の問題を解決するために、本発明では、記録シートを搬送する搬送手段とディスク状記録媒体を搬送する２つの搬送手段を記録装置内部に持ち、一方の搬送手段を使用する場合には、もう一方の搬送手段が記録作業の支障とならないように退避する構成を持った記録装置を提供することを目的とする。
【課題を解決するための手段】
【０００８】
上記目的を達成するための本発明の構成は、記録シートを搬送する搬送手段と、記録された記録シートを記録装置外に排出する排出手段と、ディスク状記録媒体搬送手段として、前記紙媒体搬送手段によって構成される搬送経路上から避けた位置に回転中心を持つ回動可能な案内部材と、前記案内部材を回動させる駆動装置と、前記案内部材の先端部に前記ディスク状記録媒体を固定する保持具と、前記両搬送手段によって搬送された記録媒体にインク滴を吐出することによって記録を行うインクジェット記録手段を有する記録装置である。
【０００９】
また本発明の記録装置は、画像情報を、記録媒体の搬送方向に任意の長さで分割した複数のライン情報に変換するデータ処理システムを有しており、記録ヘッドの走査毎に前記ライン情報を記録することで画像を形成することができる。
【００１０】
上記構成を持つ記録装置の記録作業においては、記録ヘッドの直線的な走査軌跡に対して、ディスク状記録媒体は円弧状の軌跡で搬送されることになる。つまり、記録ヘッドによって一定の幅分の記録が行われた後、次の領域を印字するためディスク状記録媒体を所定量搬送すると記録済領域と未記録領域との境界が記録ヘッドの走査軌跡に対して、案内部材の回転量角度分傾いてしまうという問題が発生する。そのため、画像情報を記録ヘッドの走査方向と垂直な方向に任意の長さで分割した従来のライン情報を記録するだけでは、適切な画像を形成することができない。
【００１１】
上記課題を解決するための第１の構成として、本発明では、前記データ処理システムにおいて、ディスク状記録媒体を搬送する前記案内部材の回転角度に応じて、記録情報を適切に処理する機能を付加した記録装置を提供する。
【００１２】
上記課題を解決するための第２の構成として、本発明では、前記案内部材の回転角度に応じて、前記案内部材の先端に取り付けられたディスク状記録媒体を固定している保持具を逆方向に回転させ、記録済領域と未記録領域との境界が記録ヘッドの走査方向と常に平行になるようにする搬送手段を有する記録装置を提供する。
【００１３】
すなわち本発明は、ディスク状記録媒体の層に画像を記録するインクジェット記録装置であって、回動可能な案内部材と、前記案内部材を回動させる駆動装置と、前記案内部材の先端部に前記ディスク状記録媒体を固定する保持具と、前記案内部材によって搬送された前記ディスク状記録媒体に画像の記録を行うインクジェット記録手段と、画像情報を予め適切なライン情報に分割するデータ処理システムを有し、ラインに分割された情報をライン毎に前記ディスク状記録媒体に記録し、画像を形成することを特徴とする記録装置である。
【発明の効果】
【００１４】
以上の構成によれば、紙媒体搬送手段とディスク状記録媒体搬送手段の２つの搬送手段を記録装置内に持ち、一方の搬送手段を使用する場合には、もう一方の搬送手段が記録作業に支障がないように退避する記録装置を提供することができる。つまり、紙媒体を記録する際には、前記案内部材を紙搬送パス上から退避させておき、ディスク状記録媒体を記録する際には、紙媒体を搬送する搬送パス上で、案内部材を回動させ記録作業を行うことができる。
【００１５】
言うまでもなく、前記ディスク状記録媒体搬送手段を、ディスク状記録媒体への画像記録を専用とした記録装置に利用することも可能である。
【発明を実施するための最良の形態】
【００１６】
以下、本発明の実施の最良の形態について図面を参照して説明する。
【実施例１】
【００１７】
本発明の実施例１について説明する。
【００１８】
図１は本発明の実施の形態であるインクジェット記録装置の概略内部構成を示した斜視図である。
【００１９】
図１において、本実施形態の記録装置は、記録媒体の種類に応じて画像情報を適切なライン情報に分割するデータ処理システムと、記録シートを搬送する記録シート搬送機構として、搬送ローラ３と、記録シートを記録装置外に排出する排出手段である排紙ローラ５と、搬送ローラ３と排紙ローラ５との間で記録シートを支持するプラテン７を備え、さらにディスク状記録媒体を搬送する機構として、回動可能な案内部材１３と、案内部材１３の回転運動を駆動する回転駆動モータ（不図示）と、前記駆動モータに連結し案内部材と軸方向で固定され前記案内部材を回動させるギア１２と、案内部材の先端に位置しディスク状媒体を案内部材１３に固定する保持部材１４とを備える。
【００２０】
さらに本実施形態の記録装置は、プラテン７と対向して配置され、インク滴を吐出して記録を行う記録手段である記録ヘッド１と、記録ヘッド１を着脱可能に支持し、かつ記録用紙の搬送方向と直交する方向に移動するキャリッジ２とを備える。
【００２１】
搬送ローラ３にはピンチローラ４が、ピンチローラホルダ（不図示）を介してピンチローラバネ（不図示）の付勢力によって押圧され、搬送ローラ３の回転に従動回転して記録シートに対する搬送力を発生させている。また、排紙ローラ５においても、拍車６が拍車ホルダ（不図示）に取り付けられたバネ軸（不図示）の付勢力によって押圧され、排紙ローラ５の回転に従動回転して記録シートに対する搬送力を発生させている。
【００２２】
またピンチローラホルダと拍車ホルダはリリース機構駆動モータ（不図示）によって上下方向に移動可能となっており、ピンチローラ４と拍車６は、搬送ローラ３と排紙ローラ５との当接状態をそれぞれ解除できるようになっている。
【００２３】
キャリッジ２は無端ベルト８に固定されている。無端ベルト８はプーリ９及び１０に巻回されている。プーリ９にはキャリッジ駆動モータ（主走査モータ）１１の駆動軸が連結されている。これにより、キャリッジ２は、キャリッジ駆動モータ１１の回転駆動によって主走査方向Ｂにスキャン走査される。
【００２４】
記録ヘッドには、記録シートと対向する面に、記録シートの搬送方向に並設された複数個のインク吐出口が形成されている。記録ヘッドには、この複数個の吐出口のそれぞれに連結したインク路が設けられ、それぞれのインク路に対応して、インク吐出のための熱エネルギーを発生する電気熱変換体が設けられている。電気熱変換体は、駆動データに応じて電気パルスが印加されることによって熱を発生し、これによりインクに膜沸騰を生じさせ、その膜沸騰による気泡の生成に伴って前記吐出口からインクを吐出させる。各インク路には、これらに共通に連通する共通液室が設けられており、この共通液室はインクタンクに接続されている。
【００２５】
ここで記録シートへの画像記録を行う際の流れを説明する。記録シートは給紙トレイ（不図示）から搬送された後、上流側の搬送ローラ３とピンチローラ４で構成される一対のローラユニットと、下流側の排紙ローラ５と拍車６で構成される一対のローラユニットとにより挟持され、一定の張力を印加され記録ヘッドに対する平面性を確保した状態で、記録ヘッド１の走査方向と直交する搬送方向Ａに間欠的に搬送される。記録ヘッドの吐出口の配列幅に対応した幅のプリント動作と、記録シートの送りとを交互に繰り返しながら、記録シート全体に記録を行う。
【００２６】
なお、キャリッジの移動に伴う１スキャン分のライン情報は、事前にデータ処理システムによって用意される。この際作成されるライン情報は、画像情報を、矢印Ａ方向に任意の長さで分割したライン情報となる。
【００２７】
次にディスク状記録媒体への画像記録を行う際の流れを説明する。ディスク状記録媒体への記録を行う際には、まず、プラテン７と記録ヘッド１の間をディスク状記録媒体が通過できようにするため、前述のリリース機構駆動モータによってピンチローラ４と拍車６を搬送ローラ３と排紙ローラ５からそれぞれリリースする。
【００２８】
次に保持具１４にディスク状記録媒体をセットするために、図２に示すような退避状態にある案内部材１３を回転駆動モータによって、図３に示すディスク状記録媒体セット可能位置にまで、回動させる。
【００２９】
ユーザによってディスク状記録媒体が保持具１４にセットされると、案内部材１３を図４に示すような記録開始位置にまで回動させ、記録作業を開始する。
【００３０】
記録作業は案内部材１３を回動させ任意の所定量搬送した後、記録ヘッドを走査させ記録を行うという作業を繰り返し、行われる。
【００３１】
この際、記録されるライン情報は案内部材の回動によって生じる記録済領域と未領域との境界の傾きを考慮したライン情報となる。なお前記ライン情報は予めデータ処理システムによって作成される。
【００３２】
一連の記録作業が終わると、案内部材１３を図３に示すディスク状記録媒体セット可能位置にまで回動させ、記録済ディスク状記録媒体をユーザに提示する。
【００３３】
ユーザが記録済ディスク状記録媒体を取り出したことを確認すると、案内部材１３を図２に示すような退避状態にまで回動させ、その後、前述のリリース機構駆動モータによってピンチローラ４と拍車６を再び搬送ローラ３と配しローラ５に当接させ、ディスク状記録媒体の記録作業を終了する。
【００３４】
上記の構成によれば、通常時は記録シート搬送手段を利用し、必要なときにだけディスク状記録媒体を利用することができる。
【実施例２】
【００３５】
前述の実施形態では、ライン情報を、案内部材の回転角度に応じて適切に用意することで、画像を形成していたが、案内部材の回転によって生じる記録済領域と未記録領域との境界の傾きを常にキャンセルする構成をとることによっても、所望の画像記録が可能となる。本構成においては、ディスク状記録媒体を、記録済領域と未記録領域との境界が常に記録ヘッドの走査方向と平行になるように搬送することができるので、第１の実施例で述べたディスク状記録媒体専用のデータ処理システムを持つ必要がなくなる。
【００３６】
本実施形態の記録装置の構成は、基本的に第１の実施形態の記録装置の構成と同様であるため、第１の実施形態と異なる構成のみを説明する。
【００３７】
本実施形態の記録装置は、第１の実施形態の記録装置が持っていたディスク状記録媒体専用のデータ処理システムを持たず、記録ヘッドの走査方向に直交する方向に画像情報を任意の長さで分割したライン情報のみを作成する従来型のデータ処理システムを有する。
【００３８】
さらに本実施形態の記録装置は、模式的側面図を表した図５に示すように、新たなディスク状記録媒体搬送手段として、回転駆動モータに連結し案内部材１３を回動させるギア１２に当接する段つきプーリ１０１と、案内部材先端に位置するプーリ１０２と、前記プーリ１０１、１０２に巻回する無端ベルト１０３と、プーリ１０２の回転に従動回転するディスク状記録媒体保持具１０４を有する。
【００３９】
上記構成によれば、ギア１２と、それに連結した案内部材１３の任意の回転角度θに対して、段つきプーリ１０１は−θ回転し、前記段つきプーリ１０２に無端ベルトを介して連結したプーリ１０２も−θで回転する。プーリ１０２は保持具１０４に連結しており、保持具１０４に固定されたディスク状記録媒体は−θ回転する。これによって、ディスク状記録媒体の記録済領域を、記録ヘッドの走査方向に対して常に平行に保ち搬送することができる。
【００４０】
上記構成におけるディスク状記録媒体の記録作業としては、ライン情報を順次、記録媒体の先端から後端に渡って記録していくという流れになる。この際作成されるライン情報は画像情報を記録ヘッドの操作方向と直交する方向に任意の長さで分割したラインとなる。
【００４１】
記録作業における一連の流れは第１の実施例と同様であるためここでは省略する。
【００４２】
なお画像形成を記録ヘッドの１走査のみで行う１パス記録によって行うとした場合に必要な案内部材の回転角度φは図６に示すように
ｒｓｉｎ（φ＋α）−ｒｓｉｎα＝ｌ
の関係式で表すことができる。ここで図中の記録位置Ａは搬送前の位置、記録位置Ｂは搬送後の位置を示している。また、ｒは案内部材の長さ、αは記録位置Ａにおける案内部材と、案内部材の回転中心を通り記録ヘッドの走査方向と平行な直線とのなす角度、ｌは任意の記録長さである。なお、記録位置Ａにおける案内部材と記録位置Ｂにおける案内部材のなす角度が所望の回転角度φを表す。上記の式のφ以外は既知の値であり、これをφに従って解けば、所望の回転角度φを求めることができる。ここでは、１パスにおける画像の形成方法を述べたが、上式の左辺で表される搬送長さを適宜調整することによって複数パスによる画像形成も簡単に行うことができる。
【図面の簡単な説明】
【００４３】
【図１】本発明の第１の実施形態であるインクジェット記録装置の概略内部構成を示した斜視図である。
【図２】本発明の第１の実施形態であるインクジェット記録装置において、ディスク状記録媒体を搬送する搬送機構が退避ポジションに位置する際の様子を示した模式的上面図である。
【図３】本発明の第１の実施形態であるインクジェット記録装置において、ディスク状記録媒体を搬送する搬送機構が、ディスク状記録媒体を保持具にセットするポジションに位置する際の様子を示した模式的上面図である。
【図４】本発明の第１の実施形態であるインクジェット記録装置において、ディスク状記録媒体を搬送する搬送機構が、記録開始ポジションに位置する際の様子を示した模式的上面図である。
【図５】本発明の実施例２であるインクジェット記録装置のディスク状記録媒体を搬送する搬送機構を示した模式的側面図である。
【図６】本発明の実施例２であるインクジェット記録装置において、案内部材が１スキャン毎に回転すべき角度量と、その他の既知のパラメータとの関係を表した模式図である。
【符号の説明】
【００４４】
１  記録ヘッド
２  キャリッジ
３  搬送ローラ
４  ピンチローラ
５  排紙ローラ
６  拍車
７  プラテン
８  無端ベルト
９  プーリ
１０  プーリ
１１  キャリッジ駆動モータ
１２  案内部材駆動ギア
１３  案内部材
１４  保持具
１０１  段つきプーリ
１０２  プーリ
１０３  無端ベルト
１０４  保持具
【図２】
2006205651.tif 000003
【図３】
2006205651.tif 000004
【図４】
2006205651.tif 000005
【図５】
2006205651.tif 000006
【図６】
2006205651.tif 000007
【図１】
2006205651.tif 000008